(57)【要約】      （修正有）【課題】各施封材加熱部の電力消費を減らして、省エネルギー化を実現した紙幣処理装置の提供。【解決手段】紙幣を券種別に集積する集積部１５１と、紙幣の集積枚数が所定枚数になったとき、所定枚数の紙幣を取り出して熱接着性の帯を券回するとともに、施封材加熱部５２を用いて熱接着を行う施封部１５２と、処理すべき紙幣の取引先及び施封材加熱部５２を熱接着可能温度に加熱開始するときの加熱開始集積枚数を対応付けて記憶する取引先別設定記憶部８０と、紙幣の集積枚数が取引先別設定記憶部８０に記憶された加熱開始集積枚数に達したとき、対応する施封部１５２の施封材加熱部５２に電力の供給を開始して熱接着可能温度まで加熱し、熱接着が完了したとき前記施封材加熱部５２への電力の供給を停止する制御部１８０とを具備するようにして紙幣処理装置を構成する。【選択図】図１
2016103238.tif 000002
【特許請求の範囲】
【請求項１】
供給された紙幣から１枚ずつ紙幣を取り出す取り出し部と、
前記取り出し部で取り出された紙幣の券種を判別する券種判別部と、
前記券種判別部で判別された紙幣を券種別に区分して集積する複数の集積部と、
前記各集積部に集積される紙幣の枚数をそれぞれ計数する葉計数部と、
前記各葉計数部によって計数された紙幣の集積枚数が所定枚数になったとき、所定枚数
の紙幣を取り出して熱接着性の帯を券回するとともに、施封材加熱部を用いて熱接着を行
う複数の施封部と、
処理すべき紙幣の取引先と、券種別に集積する集積部と、前記施封材加熱部を熱接着可
能温度に加熱開始するときの加熱開始集積枚数とを対応付けて記憶する取引先別設定記憶
部と、
前記各葉計数部によって計数された紙幣の集積枚数が前記取引先別設定記憶部に記憶さ
れた加熱開始集積枚数に達したとき、対応する施封部の施封材加熱部に電力の供給を開始
して熱接着可能温度まで加熱し、熱接着が完了したとき前記施封材加熱部への電力の供給
を停止する制御部と、
を備える紙幣処理装置。
【請求項２】
前記取引先別設定記憶部は、
前記施封材加熱部を予熱開始するときの予熱開始集積枚数を更に記憶し、
前記制御部は更に、
前記葉計数部によって計数された紙幣の集積枚数が前記取引先別設定記憶部に記憶され
た予熱開始集積枚数に達したとき、対応する施封部の施封材加熱部に予熱電力の供給を開
始する、
請求項１に記載の紙幣処理装置。
【請求項３】
前記施封部で施封された紙幣把を券種別に集積する複数の把集積部と、
前記各把集積部に集積される紙幣把の把数をそれぞれ計数する把計数部と、
前記各把計数部によって計数された紙幣把の集積把数が所定把数になったとき、所定把
数の紙幣把を取り出して熱接着性の帯を券回するとともに、結束材加熱部を用いて熱接着
を行う複数の結束部と、
を更に備え、
前記取引先別設定記憶部は、前記結束材加熱部を熱接着可能温度に加熱開始するときの
加熱開始集積把数及び集積枚数を更に対応付けて記憶し、
前記制御部は更に、
前記各把計数部によって計数された紙幣把の集積把数及び前記各葉計数部によって計数さ
れた紙幣の集積枚数が、前記取引先別設定記憶部に記憶された加熱開始集積把数及び集積
枚数に達したとき、対応する結束部の結束材加熱部に電力の供給を開始して熱接着可能温
度まで加熱し、熱接着が完了したとき前記結束材加熱部への電力の供給を停止する、
請求項１または請求項２のいずれか１項に記載の紙幣処理装置。
【請求項４】
前記取引先別設定記憶部は、
前記結束部の加熱部を予熱開始するときの予熱開始集積把数及び集積枚数を更に記憶し
、
前記制御部は更に、
前記把計数部及び葉計数部によって計数された紙幣把の集積把数及び紙幣の集積枚数が
、前記取引先別設定記憶部に記憶された予熱開始集積把数及び集積枚数に達したとき、対
応する結束部の結束材加熱部に予熱電力の供給を開始する、
請求項３に記載の紙幣処理装置。
【請求項５】
前記結束部で結束された紙幣束を、熱収縮性フィルムで覆うとともに、フィルム加熱部
を用いて前記熱収縮性フィルムを加熱収縮させることにより包装を行うシュリンク包装部
、
を更に備え、
前記取引先別設定記憶部は、前記シュリンク包装部のフィルム加熱部を熱収縮可能温度
に加熱開始するときの所定の加熱開始条件を更に記憶し、
前記制御部は更に、
前記加熱開始条件に該当したとき、前記シュリンク包装部のフィルム加熱部に電力の供給
を開始して熱収縮可能温度まで加熱し、包装が完了したとき前記フィルム加熱部への電力
の供給を停止する、
請求項１乃至請求項４のいずれか１項に記載の紙幣処理装置。
【請求項６】
前記取引先別設定記憶部は、
前記フィルム加熱部を予熱開始するときの所定の予熱開始条件を更に記憶し、
前記制御部は更に、
前記予熱開始条件に該当したとき、シュリンク包装部のフィルム加熱部に予熱電力の供
給を開始する、
請求項５に記載の紙幣処理装置。 
【発明の詳細な説明】
【技術分野】
【０００１】
本発明の実施形態は、紙幣を処理する紙幣処理装置に関する。
【背景技術】
【０００２】
従来の紙幣処理装置は、券種の異なる紙幣を積層した状態から１枚ずつ取り出し、券種
を判別し、同一券種別に紙幣を所定枚数集積し、施封する。紙幣処理装置は、券種別に対
応した集積部及び施封部を複数備える。各集積部は、紙幣を例えば１００枚集積する。各
施封部は、帯紙と加熱部を有する。この帯紙は、一方の面に熱接着性の糊が塗布されてい
る。紙幣に巻回した帯紙の端部を巻回済みの帯紙の上に重ね、加熱部を用いてこの重なり
部分を加熱加圧することによって熱接着をする。こうして、施封把が出来る。
【０００３】
この加熱部は、起動時から業務終了時までの間、電源が常時ＯＮ状態となっており、接
着に必要な接着温度を維持している。紙幣の集積を開始してから紙幣が１００枚集積され
て施封されるまでには時間を要するが、その間も各施封部の加熱部はそれぞれ一定の温度
を維持するために電力を消費し続ける。特に、流通量が少ない券種に関しては、集積開始
から１００枚集積されて施封される頻度が低いにも関わらず、加熱部が電力を消費し続け
、無駄が多い。
【先行技術文献】
【特許文献】
【０００４】
【特許文献１】特開２０１１−１９５１７７号公報
【発明の概要】
【発明が解決しようとする課題】
【０００５】
そこで、本発明が解決しようとする課題は、各加熱部の電力消費を減らすことで、省エ
ネルギー化を実現した紙幣処理装置を提供することである。
【課題を解決するための手段】
【０００６】
上記課題を解決するために、実施形態の紙幣処理装置は、紙幣を券種別に集積する集積
部１５１と、紙幣の集積枚数が所定枚数になったとき、所定枚数の紙幣を取り出して熱接
着性の帯を券回するとともに、施封材加熱部５２を用いて熱接着を行う施封部１５２と、
処理すべき紙幣の取引先及び施封材加熱部５２を熱接着可能温度に加熱開始するときの加
熱開始集積枚数を対応付けて記憶する取引先別設定記憶部８０と、紙幣の集積枚数が前記
取引先別設定記憶部に記憶された加熱開始集積枚数に達したとき、対応する施封部１５２
の施封材加熱部５２に電力の供給を開始して熱接着可能温度まで加熱し、熱接着が完了し
たとき前記施封材加熱部５２への電力の供給を停止する制御部１８０と、を具備する。
【図面の簡単な説明】
【０００７】
【図１】実施形態の紙幣処理装置の構成図である。
【図２】実施形態の施封材の巻回中における施封部の一例を概略的に示す斜視図である。
【図３】実施形態の施封材の巻回後における施封部の一例を概略的に示す断面図である。
【図４】実施形態の取引先別設定記憶部の一例を示す図である。
【図５】実施形態の取引先別設定の選択処理のフローを示す図である。
【図６】実施形態の任意の施封材加熱部への電源供給状態の切り替えフローの一例を示す図である。
【図７】実施形態の任意の結束材加熱部への電源供給状態の切り替えフローの一例を示す図である。
【図８】実施形態のフィルム加熱部への電源供給状態の切り替えフローの一例を示す図である。
【発明を実施するための形態】
【０００８】
以下、本発明の実施形態について図面を参照して説明する。
【０００９】
図１は、本発明の実施形態である紙幣処理装置の構成図を示す。図１を用いて実施形態
の紙幣処理装置の構成について説明する。実施形態の紙幣処理装置は、紙幣供給口１００
と、取り出し部１１０と、検査部１２０と、排除券集積部１３０と、券種判別部１４０と
、施封・結束モジュール１５０と、シュリンク包装部１６０と、紙幣束排出口１７０と、
制御部１８０と、を具備する。
【００１０】
紙幣供給口１００は、複数の券種が混合した紙幣をオペレータ等が投入して供給するも
のである。取り出し部１１０は、供給された紙幣を１枚ずつ取り出すものである。取り出
された紙幣は搬送路によって搬送される。搬送路の途中に設けられた検査部１２０は、紙
幣の真偽を検査するものである。排除券集積部１３０は、偽券と判別された紙幣や複数枚
取りされて真偽や券種を判別できない紙幣を集積するものである。券種判別部１４０は、
紙幣の券種を判別するものである。
【００１１】
施封・結束モジュール１５０は、券種別に紙幣を施封及び結束するものである。施封・
結束モジュール１５０は、集積部１５１と、施封部１５２と、把集積部１５３と、結束部
１５４と、を１セットとしたレーンをＮ個有する。各レーンは、例えば千円券専用レーン
を２レーン、五千円券専用レーンを２レーン、一万円券専用レーンを２レーンのように、
券種別に２レーンずつ配分されている。これは、千円券のレーンの集積部１５１に１００
枚集積され、その１００枚が取り出されて施封されている間に搬送されてくる紙幣をもう
１つのレーンに集積させるためである。
【００１２】
集積部１５１は、券種別に紙幣を集積するものである。各集積部１５１は、各集積部１
５１において集積された紙幣の枚数を計数する、葉計数部５１を有する。
【００１３】
施封部１５２は、集積部１５１に１００枚の紙幣が集積されたとき、集積紙幣が取り出
され、この集積紙幣を施封するものである。各施封部１５２は、施封材加熱部５２を有す
る。施封材加熱部５２は、施封用の帯紙である施封材の重なり部分を、熱接着用に加熱す
るものである。詳しくは後述する。
【００１４】
把集積部１５３は、施封された紙幣把を、集積するものである。各把集積部１５３は、
各把集積部１５３において集積された紙幣把の数を計数する、把計数部５３を有する。
【００１５】
結束部１５４は、把集積部１５３に１０把の紙幣把が集積されたとき、紙幣把が取り出
され、これら集積紙幣把を結束するものである。各結束部１５４は、結束材加熱部５４を
有する。結束材加熱部５４は、結束用の帯紙である結束材を、熱接着用に加熱するもので
ある。詳しくは後述する。
【００１６】
各結束部１５４で結束された紙幣束は、各レーンから、共通の搬送路に放出される。放
出された紙幣束は、共通搬送路で搬送されてシュリンク包装部１６０に送られる。シュリ
ンク包装部１６０は、各結束部１５４で結束された紙幣束を、包装するものである。シュ
リンク包装部１６０は、フィルム加熱部６０を有する。フィルム加熱部６０は、シュリン
ク包装用のフィルムを加熱収縮させることにより、紙幣束を包装するものである。
【００１７】
紙幣束排出口１７０は、包装された紙幣束を紙幣処理装置から排出するものである。
【００１８】
最後に制御部１８０は、紙幣処理装置全体の動作を各部毎に制御するものである。例え
ば、制御部１８０は、葉計数部５１の計数結果に基づき、集積部１５１から施封部１５２
へ集積紙幣を搬送させる指示を与える。制御部１８０には取引先別設定記憶部８０が備え
られており、後述する取引先別設定が記憶されている。
【００１９】
以下、実施形態の紙幣処理装置の動作について説明する。
【００２０】
まず、紙幣供給口１００に多券種の紙幣が積層状態で投入されることで、この紙幣処理
装置で処理すべき紙幣が供給される。そして取り出し部１１０によって、供給された積層
状態の紙幣から、紙幣が１枚ずつ取り出される。
【００２１】
続いて、１枚ずつ取り出された紙幣は、搬送路によって検査部１２０へ搬送される。検
査部１２０では、搬送されてきた紙幣の真偽が検査される。具体的には、紙幣が真券であ
るか、偽券らしい排除券であるか、が判別される。ここで排除券とは、偽券と判別された
券、または、折れ、破れ、スキュー、２枚取り等により判別不能な券と判別された券をい
う。なお、スキューとは、搬送方向と直交する方向に対して、紙幣が斜めに傾斜した状態
で搬送されていることをいう。
【００２２】
排除券と判別された紙幣は、排除券集積部１３０へ搬送される。一方、それ以外の真券
は、券種判別部１４０へ搬送される。券種判別部１４０では、紙幣の券種が判別される。
例えば、紙幣が千円券か、五千円券か、一万円券か、が判別される。券種判別部１４０で
の判別結果に基づき、各紙幣は、券種別のレーンに振り分けられて搬送される。
【００２３】
各レーンでは、搬送されてきた紙幣が集積部１５１に集積される。通常、集積部１５１
には複数の羽根が回転軸の周囲に組み込まれた羽根車が装備されており、搬送されてきた
紙幣を羽根と羽根との間で受け取れるように、羽根が回転している。これにより、搬送さ
れてきた紙幣が１枚ずつ整位しながら集積部１５１へ載置される機構となっている。なお
、集積部１５１の機構は、例えば特開２０１２−１９８８１３号公報の図３記載のように
構成されている。
【００２４】
集積部１５１に紙幣が１枚集積される毎に、集積枚数が、葉計数部５１によって計数さ
れる。紙幣が所定枚数分、例えば１００枚集積されたことが計数されると、この集積紙幣
は、取り出されて施封部１５２へ搬送される。これに伴い、葉計数部５１の計数はリセッ
トされ、改めて集積部１５１に集積される紙幣の枚数の計数が開始される。
【００２５】
施封部１５２では、熱接着により集積紙幣が施封される。施封に用いられる施封材は、
一方の面に熱接着性の糊が塗布されている。紙幣に巻回した施封材の端部を巻回済みの施
封材の上に重ね、施封材加熱部５２を用いてこの重なり部分を加熱加圧することで熱接着
がされる。これにより、１００枚の紙幣が施封材によって施封された１把の紙幣把が出来
る。施封部１５２の機構については、図２及び図３を用いて後述する。
【００２６】
施封材加熱部５２は、施封材の重なり部分が所定の温度となるよう、加熱する。施封材
加熱部５２の加熱は、制御部１８０の指示によって制御される。すなわち、制御部１８０
は、葉計数部５１の計数情報から紙幣の集積状況を検知し、後述する取引先別設定に基づ
き、各施封材加熱部５２への電源供給を制御する。具体的には、電源をＯＦＦ状態と加熱
状態とで切り替える。或いは、電源をＯＦＦ状態と予熱状態と加熱状態とで切り替える。
各施封材加熱部５２への電源供給の制御については、図４乃至図６を用いて後述する。
【００２７】
ここで、加熱とは、熱接着に必要な温度（熱接着可能温度）に達するまで熱を加え（電
力の供給を開始する）、熱接着に必要な温度に達した後はその温度を維持させることをい
う。また予熱とは、熱接着に必要な温度まで加熱するために、容易に温度を上昇させられ
るような温度（熱接着準備温度）に達するまで熱を加え（予熱電力の供給を開始する）、
その温度に達した後はその温度を維持させることをいう。
【００２８】
続いて施封された紙幣把は、把集積部１５３へ搬送され、紙幣把が１把ずつ集積される
。把集積部１５３は、施封部１５２の下方に位置している。紙幣把が把集積部１５３に集
積される都度、集積把数は、把計数部５３によって計数される。紙幣把が１０把集積され
たことが把計数部５３によって計数されると、この集積紙幣把は、結束部１５４へ送られ
る。結束部１５４は、把集積部１５３の下方に位置している。これに伴い、把計数部５３
の計数はリセットされ、改めて把集積部１５３に集積される紙幣把の把数の計数が開始さ
れる。
【００２９】
結束部１５４では、帯紙を巻回することで集積紙幣把が結束され、紙幣束が出来る。結
束材加熱部５４は、結束材の接着部分が所定の温度となるよう、加熱する。結束材加熱部
５４の加熱は、制御部１８０の指示によって制御される。すなわち、制御部１８０は、把
計数部５３の計数情報から紙幣把の集積把数を、また同一レーンに属する集積部１５１の
葉計数部５１の計数情報から紙幣の集積枚数を、取得し、後述する取引先別設定に基づき
、結束材加熱部５４への電源供給を制御する。各結束材加熱部５４への電源供給の制御に
ついては、図４、図５及び図７を用いて後述する。
【００３０】
続いて、結束された紙幣束は、シュリンク包装部１６０へと搬送される。シュリンク包
装部１６０では、熱を加えると収縮する、熱収縮性フィルムで紙幣束を覆い、フィルムを
加熱収縮させることにより、紙幣束が包装される。
【００３１】
なお、シュリンク包装においては、加熱とは、包装に必要な温度（熱収縮可能温度）に
達するまで熱を加え（電力の供給を開始する）、包装に必要な温度に達した後はその温度
を維持させることをいう。また予熱とは、包装に必要な温度まで加熱するために、容易に
温度を上昇させられるような温度（熱収縮準備温度）に達するまで熱を加え（予熱電力の
供給を開始する）、その温度に達した後はその温度を維持させることをいう。
【００３２】
そして最後に、包装された紙幣束は、紙幣束排出口１７０へと搬送され、紙幣処理装置
から排出される。ここまでが、紙幣処理装置における動作の一連の流れである。
【００３３】
ここで、図２及び図３を用いて、施封部の機構について詳細に説明する。
【００３４】
図２は、本実施形態の施封材の巻回中における施封部の一例を概略的に示す斜視図であ
る。施封部１５２は、支持テーブル１１と、施封材送り機構１３と、プリンタ１４と、把
持引き込み機構１５と、を具備する。施封材送り機構１３は、施封材フィーダ１６と、施
封材キャッチャ（図示せず）と、施封材ガイド１７と、を備えている。
【００３５】
支持テーブル１１は、１００枚集積した集積紙幣Ｐが集積部１５１から取り出されて載
置される、略矩形状のテーブルである。支持テーブル１１の裏面側については、図３を用
いて後述する。
【００３６】
施封材送り機構１３は、支持テーブル１１に載置された集積紙幣Ｐを施封するための施
封材１２を、送り出すものである。施封材フィーダ１６は、支持テーブル１１の後方（図
中右上方向）に送り出すためのものである。施封材キャッチャは、送り出された施封材１
２の先端を把持して回転させるためのものである。施封材ガイド１７は、施封材キャッチ
ャの回転時に、把持した施封材１２をループ状にガイドして送り出すためのものである。
【００３７】
プリンタ１４は、施封材送り機構１３に併設されており、施封材１２に所望の印字情報
を印字するものである。
【００３８】
把持引き込み機構１５は、集積紙幣Ｐを把持し、ループ状の施封材１２の中に集積紙幣
Ｐを引き込み、集積紙幣Ｐの施封位置を決めるものである。
【００３９】
以下、実施形態の施封部１５２における施封動作について説明する。
【００４０】
集積部１５１で１００枚集積した集積紙幣Ｐは、取り出されて支持テーブル１１に載置
される。一方施封材１２は、施封材リール（図示せず）から引き出され、施封材送り機構
１３の施封材フィーダ１６によって支持テーブル１１の後方に送り出される。この際、プ
リンタ１４によって、施封材１２に所望の情報が印字される。施封材１２の先端は施封材
キャッチャによって把持されて、把持された施封材１２が施封材ガイド１７によってルー
プ状にガイドされて回転される。これにより、ループ状に巻かれた施封材１２が出来る。
集積紙幣Ｐは、把持引き込み機構１５によって図中矢印方向の施封位置（図２中、点線で
示された集積紙幣Ｐがある位置）へ引き込まれ、ループ状の施封材１２の中に通される。
【００４１】
図３は、本実施形態の施封材の巻回後における施封部の一例を概略的に示す断面図であ
る。施封部１５２は、引き込まれた集積紙幣Ｐの裏面側（図中下側）には、アイロン台１
８と、施封材加熱部５２と、施封材クランプ１９と、カッター２０と、を具備する。
【００４２】
アイロン台１８は、集積紙幣Ｐと施封材１２との間に差し込まれ、施封材が紙幣に熱接
着しないようにするものである。施封材クランプ１９は、接着時に、集積紙幣Ｐに巻回さ
れた施封材１２の重なり部分をアイロン台１８の上に固定するものである。施封材加熱部
５２は、施封材の重なり部分をアイロン台１８に圧接し、重なり部分を加熱して熱接着す
るものである。カッター２０は、施封完了後に施封材１２を切るものである。
【００４３】
アイロン台１８及びカッター２０は、支持テーブル１１の長手方向（図２中矢印方向）
に往復移動可能に設けられている。また、施封材加熱部５２及び施封材クランプ１９は、
施封材１２に当接する位置と、施封材１２から離間する位置との間を昇降可能に設けられ
ている。
【００４４】
以下、実施形態の施封部１５２における施封動作の後半について説明する。
【００４５】
集積紙幣Ｐが把持引き込み機構１５によって図２中の施封位置に移動した後、施封材送
り機構１３は、施封材１２を引き戻す。これにより施封材１２は、集積紙幣Ｐの周囲に接
近して施封材１２が巻回される。
【００４６】
この引き戻し動作と同時に、アイロン台１８及びカッター２０も施封位置側へ移動され
る。アイロン台１８は集積紙幣Ｐと施封材１２との間に差し込まれ、カッター２０は施封
材１２の端部を挟む位置にセットされる。また、施封材加熱部５２及び施封材クランプ１
９も施封材１２に当接する位置へ移動される。
【００４７】
施封材クランプ１９によってアイロン台１８及び施封材１２の重なり部分が固定され、
施封材加熱部５２によって施封材１２の重なり部分が加熱されることで、施封材の重なり
部分の内側に塗布されている熱接着性の糊が溶融し、熱接着が完了する。そして最後に、
施封材１２の端部が、カッター２０によってカットされる。これで施封が完了し、紙幣把
が出来る。
【００４８】
次に、図４を参照して取引先別設定について説明する。
【００４９】
図４は、本実施形態の取引先別設定記憶部の一例を示す図である。紙幣処理装置が取り
扱う紙幣の取引先は、取引先別に、紙幣の券種の枚数に特徴がある。この特徴に基づき、
制御部１８０にある取引先別設定記憶部８０には、予め取引先別に「取引先別設定」が取
引先情報とともに記憶されている。
【００５０】
取引先情報とは、取引先名や、取引先コード等、取引先を特定するための情報である。
例えば、この紙幣処理装置が銀行の本店の集中処理部門あるいは現金処理センター等に設
置されている場合は、銀行の各支店やデパート等の大口取引先が主な取引先となる。また
、紙幣処理装置が銀行の支店に設置されている場合は、商店等が主な取引先となる。更に
、紙幣処理装置がデパート等に設置されている場合は、各階が取引先となる。各取引先で
集めた紙幣が、紙幣処理装置に投入される。
【００５１】
各取引先から入金される紙幣については取引先毎に券種の構成に特徴がある。例えば、
ショッピングセンターや商店の場合は千円券が紙幣の大部分を占める。また、大都市にあ
るデパートの場合、一万円券の割合が高くなる、等の特徴がある。
【００５２】
このようなことから、過去における各取引先の券種別枚数の多さによって取引先別設定
記憶部８０に予め取引先別に「取引先別設定」を記憶しておく。以下、詳細に説明する。
【００５３】
各取引先の券種別枚数の多さから、例えば、券種別に、紙幣の集積開始から集積が完了
して施封開始までの時間が予想できる。この時間を、集積予想時間と称する。一方、施封
材加熱部５２が熱接着に必要な温度に達するまでに要する時間を、加熱予想時間と称する
。集積予想時間経過前に、施封材加熱部５２が熱接着に必要な温度に達するよう、施封材
加熱部５２への電源供給状態を切り替える最適なタイミングが想定できる。ここでいうタ
イミングとは、集積部１５１にＭ枚紙幣が集積したとき、加熱開始する、というように集
積枚数に依る。このタイミングを予め記憶したものが、取引先別設定である。すなわち、
取引先別設定記憶部には、処理すべき紙幣の取引先と、券種別に集積する集積部（すなわ
ちどのレーンに対応するかという情報）と、前記施封材加熱部を熱接着可能温度に加熱開
始するときの加熱開始集積枚数とを対応付けて記憶する、取引先別設定が記憶されている
。
【００５４】
なお、取引先別設定記憶部８０には、取引先別設定とは別個に、標準の設定も記憶され
ている。例えば、取引先別設定が設定されていない取引先の紙幣を処理する際は、この標
準設定が適用される。
【００５５】
結束材加熱部５４についても、同様にして取引先別設定及び標準設定が、取引先別設定
記憶部８０に記憶されている。
【００５６】
また、シュリンク包装部１６０におけるフィルム加熱部６０についても、所定のタイミ
ングが取引先別設定に記憶されている。ここで所定のタイミングとは、紙幣束の集積予想
時間と加熱予想時間とに基づいた設定ではなく、例えば、施封・結束モジュール１５０全
体における、施封状況と結束状況とを制御部１８０が随時検知し、検知情報に応じて電源
供給状態を切り替えるタイミングである。
【００５７】
図４は、実施形態の取引先別設定の一例を示す図である。これは、取引先Ａに割り当て
られた取引先別設定の一例を示す表である。集積部１５１と、施封部１５２と、把集積部
１５３と、結束部１５４と、を１セットとしたレーンが６レーンある紙幣処理装置とする
。各行は、各レーンについて設定された内容を表す。各列は、左から順に、取り扱う紙幣
の券種、施封材加熱部５２の予熱開始タイミング（予熱開始集積枚数）、施封材加熱部５
２の加熱開始タイミング（加熱開始集積枚数）、結束材加熱部５４の予熱開始タイミング
（予熱開始集積把数及び集積枚数）、結束材加熱部５４の加熱開始タイミング（加熱開始
集積把数及び集積枚数）、及びフィルム加熱部６０の予熱開始タイミング（予熱開始条件
）、フィルム加熱部６０の加熱開始タイミング（加熱開始条件）を表す。なおこの例では
、前提として、紙幣１００枚で１把の紙幣把を施封し、紙幣把１０把で１束の紙幣束を結
束するとする。
【００５８】
例えば、この取引先Ａから請け負う紙幣は、おおよそ、千円券が紙幣全体の６０％を占
め、五千円券が紙幣全体の２５％を占め、一万円券が紙幣全体の１５％を占める、という
特徴を有しているとする。取引先別設定記憶部８０に記憶された取引先Ａの取引先別設定
は、第１レーン及び第２レーンは千円券を、第３レーン及び第４レーンは五千円券を、第
５レーン及び第６レーンは一万円券を、それぞれ処理する、という設定が記憶されている
とする。
【００５９】
処理枚数が最も多い千円券は、他の券種に比べて集積部１５１に１００枚集積されるま
での時間が短い。すなわち、集積予想時間が短い。よって、この取引先Ａが取り扱う千円
券については、紙幣の集積枚数が比較的少ない「６０枚」集積した時点で予熱を開始し、
続いて「７０枚」集積した時点で加熱を開始する。これによって、「１００枚」集積した
時点で、施封材加熱部５２が熱接着に必要な温度に達するように設定がされている。
【００６０】
一方、処理枚数が最も少ない一万円券は、集積部１５１に１００枚集積されるまでの時
間が長い。すなわち、集積予想時間が長い。よって、この取引先Ａが取り扱う一万円券に
ついては、紙幣の集積枚数が比較的多い「７５枚」集積した時点で予熱を開始し、続いて
「８５枚」集積した時点で加熱を開始する。それによって、「１００枚」集積した時点で
、施封材加熱部５２が熱接着に必要な温度に達するような設定がされている。
【００６１】
結束材加熱部５４についても、同様にして設定がされている。集積予想時間が短い千円
券については、紙幣把が「９把」かつ紙幣が比較的少ない「７０枚」集積した時点で予熱
を開始し、続いて紙幣把が「９把」かつ紙幣が「８０枚」集積した時点で加熱を開始する
。
【００６２】
一方、集積予想時間が長い一万円券については、紙幣把が「９把」かつ紙幣が比較的多
い「８５枚」集積した時点で予熱を開始し、続いて紙幣把が「９把」かつ紙幣が「９５枚
」集積した時点で加熱を開始する。これらによって、紙幣把が「１０把」集積した時点で
、結束材加熱部５４が熱接着に必要な温度に達するように設定がされている。
【００６３】
また、フィルム加熱部６０については、例えば、第１レーンから第６レーンのいずれか
における結束材加熱部５４が予熱開始した時点で、フィルム加熱部６０の予熱を開始し、
第１レーンから第６レーンのいずれかにおける結束材加熱部５４が加熱開始した時点で、
フィルム加熱部６０の加熱を開始する、といった、紙幣把の結束状況に応じた設定がされ
ている。
【００６４】
なお、この所定の設定は一例に過ぎず、紙幣の施封または結束状況に基づいた何らかの
設定がされていれば良い。
【００６５】
次に、図５乃至図８を参照して、紙幣処理装置各部への電源供給の制御について説明す
る。
【００６６】
図５は、実施形態の取引先別設定の選択処理のフローを示す図である。紙幣処理開始時
に、オペレータ等が、これから処理する紙幣がいずれの取引先から入金されたものである
か、取引先情報を入力する。制御部１８０は、入力された取引先情報に基づいて、取引先
別設定記憶部８０から取引先別設定を読み込む（ステップＳ１０１）。この取引先別設定
を、各レーンに適用する（ステップＳ１０２）。
【００６７】
図６は、任意の取引先別設定における、あるレーンの施封部１５２における施封材加熱
部５２への電源供給状態の切り替えフローの一例を示す図である。この施封材加熱部５２
において予熱開始のタイミングとなる紙幣の集積枚数（予熱開始集積枚数）をＰ１とする
。また、加熱開始のタイミングとなる紙幣の集積枚数（加熱開始集積枚数）をＰ２とする
。例えば、図４の取引先別設定の第１、２レーンにある施封材加熱部５２と対応させれば
、Ｐ１は６０枚、Ｐ２は７０枚に相当する。
【００６８】
この施封部１５２上流にある集積部１５１において、集積した紙幣の枚数がＰ１より少
ない間は（ステップＳ１１のＮＯ）、制御部１８０は、施封材加熱部５２のＯＦＦ状態を
維持する（ステップＳ１２）。集積した紙幣の枚数がＰ１に達すると（ステップＳ１１の
ＹＥＳ）、制御部１８０は、施封材加熱部５２を予熱状態に切り替える（ステップＳ１３
）。
【００６９】
続いて、この集積部１５１において、集積した紙幣の枚数がＰ２に達しているか否かが
チェックされ、Ｐ２に達していない（ステップＳ１４のＮＯ）ときは予熱状態を維持する
。チェックの結果、Ｐ２に達すると（ステップＳ１４のＹＥＳ）、制御部１８０は、施封
材加熱部５２を加熱状態に切り替える（ステップＳ１５）。
【００７０】
そして、集積部１５１に１００枚集積した紙幣が施封部１５２へ送られ、施封材が券回
され、熱接着が完了すると（ステップＳ１６のＹＥＳ）、施封材加熱部５２への電源供給
状態はＯＦＦにされるとともに（ステップＳ１７）、ステップＳ１１に戻り、次の施封の
ため、以降これらの処理が繰り返される。
【００７１】
第１、２レーンの施封部１５２についてのみ説明したが、各施封部１５２についても並
行して同様の処理が実行される。
【００７２】
なお、施封材加熱部５２が予熱状態を経ずに、ＯＦＦ状態と加熱状態の２段階のみを有
する場合は、上述したステップＳ１１と、ステップＳ１３については省略される。
【００７３】
図７は、任意の取引先別設定における、あるレーンの結束部１５４における結束材加熱
部５４への電源供給状態の切り替えフローの一例を示す図である。この結束材加熱部５４
において予熱開始のタイミングとなる紙幣把の集積把数及び紙幣の集積枚数（予熱開始集
積把数及び集積枚数）をＱ１と表す。また、加熱開始のタイミングとなる紙幣の集積把数
及び紙幣の集積枚数（加熱開始集積把数及び集積枚数）をＱ２と表す。例えば、図４の取
引先別設定の第１、２レーンにある結束材加熱部５４と対応させれば、Ｑ１は９把７０枚
、Ｑ２は９把８０枚に相当する。
【００７４】
この結束部１５４上流にある把集積部１５３において集積した紙幣把の把数及び上流に
ある集積部１５１において集積した紙幣の枚数がＱ１より少ない間は（ステップＳ２１の
ＮＯ）、制御部１８０は、結束材加熱部５４のＯＦＦ状態を維持する（ステップＳ２２）
。集積した紙幣把の把数及び紙幣の枚数がＱ１に達すると（ステップＳ２１のＹＥＳ）、
制御部１８０は、結束材加熱部５４を予熱状態に切り替える（ステップＳ２３）。
【００７５】
続いて、この把集積部１５３及び集積部１５１において、集積した紙幣把の把数及び集
積した紙幣の枚数がＱ２に達しているか否かがチェックされ、Ｑ２に達していない（ステ
ップＳ２４のＮＯ）ときは予熱状態を維持する。チェックの結果、Ｑ２に達すると（ステ
ップＳ２４のＹＥＳ）、制御部１８０は、結束材加熱部５４を加熱状態に切り替える（ス
テップＳ２５）。
【００７６】
そして、把集積部１５３に１０把集積した紙幣把が結束部１５４へ送られ、結束材が券
回され、熱接着が完了すると（ステップＳ２６のＹＥＳ）、結束材加熱部５４への電源供
給状態はＯＦＦにされるとともに（ステップＳ２７）、ステップＳ２１に戻り、次の結束
のため、以降これらの処理が繰り返される。
【００７７】
第１、２レーンの結束部１５４についてのみ説明したが、各結束部１５４についても並
行して同様の処理が実行される。
【００７８】
なお、結束材加熱部５４が予熱状態を経ずに、ＯＦＦ状態と加熱状態の２段階のみを有
する場合は、上述したステップＳ２１と、ステップＳ２３については省略される。
【００７９】
更に、図８は、任意の取引先別設定における、シュリンク包装部１６０におけるフィル
ム加熱部６０への電源供給状態の切り替えフローの一例を示す図である。図４における取
引先別設定の予熱開始条件及び加熱開始条件と対応させて、説明する。
【００８０】
このシュリンク包装部１６０の上流に位置する複数の結束部１５４のうちいずれにおい
ても、結束材加熱部５４の予熱を開始していない間は（ステップＳ３１）、制御部１８０
は、フィルム加熱部６０をＯＦＦ状態とする（ステップＳ３２）。複数の結束部１５４の
うちいずれかにおいて、結束材加熱部５４の予熱が開始されると（ステップＳ３１）、制
御部１８０は、フィルム加熱部６０を予熱状態に切り替える（ステップＳ３３）。続いて
、複数の結束部１５４のうちいずれかにおいて、結束材加熱部５４の加熱が開始されると
（ステップＳ３４）、制御部１８０は、フィルム加熱部６０を加熱状態に切り替える（ス
テップＳ３５）。そして、結束された紙幣束がシュリンク包装部１６０へ送られ、シュリ
ンク包装が完了すると（ステップＳ３６）、フィルム加熱部６０への電源供給状態はＯＦ
Ｆにされるとともに（ステップＳ３７）ステップＳ３１に戻り、以降これらの処理が繰り
返される。
【００８１】
なお、フィルム加熱部６０がＯＦＦ状態と加熱状態の２段階のみを有する場合は、上述
したステップＳ３１と、ステップＳ３３については省略される。
【００８２】
以上の本実施形態によれば、施封部１５２の施封材加熱部５２は常時熱接着温度を維持
すること無く、熱接着が必要になったときのみ電源を供給するので電力消費を抑えること
ができる。また、結束部１５４においても結束材加熱部５４は常時熱接着温度を維持する
こと無く、熱接着が必要になったときのみ電源を供給するので電力消費を抑えることがで
きる。更に、シュリンク包装部１６０においてもフィルム加熱部６０は常時シュリンク包
装温度を維持すること無く、シュリンク包装が必要になったときのみ電源を供給するので
電力消費を抑えることができる。
【００８３】
こうして、施封・結束モジュール１５０各部及びシュリンク包装部１６０への電源供給
状態が改良したことで、紙幣処理装置の省エネルギー化が実現される。
【００８４】
なお、集積部１５１と、施封部１５２と、把集積部１５３と、結束部１５４とは、それ
ぞれ券種ごとに２レーンずつとは限らない。例えば、一券種に対して、１つの集積部１５
１と、１つの施封部１５２と、を装備する装置もある。この場合、紙幣が第１の集積部１
５１に１００枚集積されると、セパレータで区切り、それ以降に集積部１５１に搬送され
る紙幣はセパレータの上に集積し、集積部１５１の紙幣が取り出されたらセパレータ上の
紙幣を集積部１５１に移し替えるようにしても良い。
【００８５】
また、本実施形態では、シュリンク包装部１６０を示したが、シュリンク包装が必要な
い場合はこれを省略しても良い。
【００８６】
本発明のいくつかの実施形態を説明したが、これらの実施形態は、例として提示したも
のであり、発明の範囲を限定することは意図していない。これら実施形態は、その他の様
々な形態で実施されることが可能であり、発明の要旨を逸脱しない範囲で、種々の省略、
置き換え、変更を行うことができる。これら実施形態やその変形は、発明の範囲や要旨に
含まれると同様に、特許請求の範囲に記載された発明とその均等の範囲に含まれるもので
ある。
【符号の説明】
【００８７】
１５０…施封・結束モジュール
１５１…集積部
１５２…施封部
１５３…把集積部
１５４…結束部
５１…葉計数部
５２…施封材加熱部
５３…把計数部
５４…結束材加熱部
１６０…シュリンク包装部
６０…フィルム加熱部
１８０…制御部
８０…取引先別設定記憶部
【図１】
2016103238.tif 000003
【図２】
2016103238.tif 000004
【図３】
2016103238.tif 000005
【図４】
2016103238.tif 000006
【図５】
2016103238.tif 000007
【図６】
2016103238.tif 000008
【図７】
2016103238.tif 000009
【図８】
2016103238.tif 000010